(57)【要約】【課題】同一の管理情報で複数の情報記憶媒体用リーダライタが管理サーバに紐付けされてしまう不都合を解消する。【解決手段】管理番号１Ａが記録されたＵＳＢメモリ３０を接続するためのＵＳＢポート１５１と、このＵＳＢポートに接続されたＵＳＢメモリから管理番号を読み込み、当該リーダライタ１００を識別するための管理番号として設定すると共に、管理サーバ３００との通信を制御する制御部１６０とを備え、この制御部は、ＵＳＢポートにＵＳＢメモリが接続されていない場合は、当該リーダライタ１００を使用不可とする。【選択図】図１
2015153164.tif 000002
【特許請求の範囲】
【請求項１】
所定の上位装置に設けられ、所定の情報が記憶された情報記憶媒体を検出すると、当該情報記憶媒体に記憶された情報の読み書きを行い、当該情報記憶媒体用リーダライタを識別するための管理情報を用いて所定の管理サーバと通信を行う情報記憶媒体用リーダライタにおいて、
前記管理情報が記録された所定の記録媒体を接続するための接続部と、
該接続部に接続された前記記録媒体から前記管理情報を読み込み、当該情報記憶媒体用リーダライタを識別するための管理情報として設定すると共に、前記管理サーバとの通信を制御する制御部とを備え、
該制御部は、前記接続部に前記記録媒体が接続されていない場合は、当該情報記憶媒体用リーダライタを使用不可とすることを特徴とする情報記憶媒体用リーダライタ。
【請求項２】
前記制御部は、前記記録媒体に動作状態に関する情報を記録することを特徴とする請求項１に記載の情報記憶媒体用リーダライタ。
【請求項３】
前記制御部は、前記接続部に前記記録媒体が接続されていない場合に使用不可とすることを有効とするか、無効とするかを選択可能とされていることを特徴とする請求項１又は請求項２の情報記憶媒体用リーダライタ。
【請求項４】
前記制御部は、前記接続部に前記記録媒体が接続されていない場合に使用不可とすることが無効とされている場合、一定期間経過後、前記記録媒体を前記接続部に接続することを促す所定の警告を出力することを特徴とする請求項３に記載の情報記憶媒体用リーダライタ。
【請求項５】
前記制御部は、前記記録媒体を用いて前記管理情報を設定するか、前記情報記憶媒体を用いて前記管理情報を設定するか、所定のマニュアル操作で前記管理情報を設定するか、を選択可能とされていることを特徴とする請求項１乃至請求項４のうちの何れかに記載の情報記憶媒体用リーダライタ。
【請求項６】
前記制御部は、前記接続部に接続された所定の記録媒体に、前記管理情報を書き込む機能を有することを特徴とする請求項１乃至請求項５のうちの何れかに記載の情報記憶媒体用リーダライタ。
【発明の詳細な説明】
【技術分野】
【０００１】
本発明は、例えば自動販売機等の上位装置に設けられる情報記憶媒体用リーダライタに関するものである。
【背景技術】
【０００２】
従来、この種の情報記憶媒体用リーダライタとして、自動販売機等の上位装置に設けられ、携帯電話等に設けられて所定の情報が記憶された情報記憶媒体を検出すると、該情報記憶媒体に記憶された情報の読み書きを行うようにしたものが知られている。
【０００３】
この情報記憶媒体用リーダライタには、当該情報記憶媒体用リーダライタを識別するための管理情報（管理番号）が事前に記憶されており、このリーダライタが上位装置に設けられると、管理情報を用いて所定の管理サーバと紐付けを行い、上位装置との通信処理や情報記憶媒体に記憶された電子マネー情報を用いた決済処理等を管理サーバとの間で行うように構成されていた。
【０００４】
しかしながら、係る構成では情報記憶媒体用リーダライタを識別する管理情報が事前に記憶されているため、例えば当該情報記憶媒体用リーダライタの設置先を変更する場合には、当該リーダライタを回収して新たな管理情報を記憶させる等の煩雑な設定処理を行う必要があり、汎用性及び利便性に劣るものであった。
【０００５】
そこで、近年では例えば情報記憶媒体用リーダライタを識別するための管理情報が符号化された二次元コードを使用し、この二次元コードから管理情報を携帯電話等で読み込んで情報記憶媒体に書き込み、この情報記憶媒体に書き込まれた管理情報をリーダライタで読み取って設定できるようにしたものが開発されている（例えば、特許文献１参照）。
【先行技術文献】
【特許文献】
【０００６】
【特許文献１】特許第５０１０５６３号公報
【発明の概要】
【発明が解決しようとする課題】
【０００７】
係る方法によれば、情報記憶媒体用リーダライタの設置先を変更した場合にも、管理情報の設定処理を容易に行うことができるようになるが、携帯電話で一つの二次元コードを何度も読み込むことが可能であるため、誤って複数のリーダライタ（異なる上位装置に設置されているリーダライタ）に同一の管理情報が設定され、同一の管理情報のリーダライタが管理サーバと紐付けされてしまう危険性があった。
【０００８】
本発明は、係る従来の技術的課題を解決するために成されたものであり、同一の管理情報で複数の情報記憶媒体用リーダライタが管理サーバに紐付けされてしまう不都合を効果的に解消した情報記憶媒体用リーダライタを提供するものである。
【課題を解決するための手段】
【０００９】
本発明の情報記憶媒体用リーダライタは、所定の上位装置に設けられ、所定の情報が記憶された情報記憶媒体を検出すると、当該情報記憶媒体に記憶された情報の読み書きを行い、当該情報記憶媒体用リーダライタを識別するための管理情報を用いて所定の管理サーバと通信を行うものであって、管理情報が記録された所定の記録媒体を接続するための接続部と、この接続部に接続された記録媒体から管理情報を読み込み、当該情報記憶媒体用リーダライタを識別するための管理情報として設定すると共に、管理サーバとの通信を制御する制御部とを備え、この制御部は、接続部に記録媒体が接続されていない場合は、当該情報記憶媒体用リーダライタを使用不可とすることを特徴とする。
【００１０】
請求項２の発明の情報記憶媒体用リーダライタは、上記発明において制御部は、記録媒体に動作状態に関する情報を記録することを特徴とする。
【００１１】
請求項３の発明の情報記憶媒体用リーダライタは、上記各発明において制御部は、接続部に記録媒体が接続されていない場合に使用不可とすることを有効とするか、無効とするかを選択可能とされていることを特徴とする。
【００１２】
請求項４の発明の情報記憶媒体用リーダライタは、上記発明において制御部は、接続部に記録媒体が接続されていない場合に使用不可とすることが無効とされている場合、一定期間経過後、記録媒体を接続部に接続することを促す所定の警告を出力することを特徴とする。
【００１３】
請求項５の発明の情報記憶媒体用リーダライタは、上記各発明において制御部は、記録媒体を用いて管理情報を設定するか、情報記憶媒体を用いて管理情報を設定するか、所定のマニュアル操作で管理情報を設定するか、を選択可能とされていることを特徴とする。
【００１４】
請求項６の発明の情報記憶媒体用リーダライタは、上記各発明において制御部は、接続部に接続された所定の記録媒体に、管理情報を書き込む機能を有することを特徴とする。
【発明の効果】
【００１５】
本発明によれば、所定の上位装置に設けられ、所定の情報が記憶された情報記憶媒体を検出すると、当該情報記憶媒体に記憶された情報の読み書きを行い、当該情報記憶媒体用リーダライタを識別するための管理情報を用いて所定の管理サーバと通信を行う情報記憶媒体用リーダライタにおいて、管理情報が記録された所定の記録媒体を接続するための接続部と、この接続部に接続された記録媒体から管理情報を読み込み、当該情報記憶媒体用リーダライタを識別するための管理情報として設定すると共に、管理サーバとの通信を制御する制御部とを備えているので、記録媒体を用いて当該情報記憶媒体用リーダライタを識別するための管理情報を設定することが可能となる。
【００１６】
特に、制御部は、接続部に記録媒体が接続されていない場合は、当該情報記憶媒体用リーダライタを使用不可とするようにしたので、当該情報記憶媒体用リーダライタを識別するための管理情報が記録された記録媒体が接続部に接続されていない限り、情報記憶媒体用リーダライタは取り扱いできなくなる。即ち、一つの記録媒体が使い回しされることが無くなるので、従来の如く誤って複数の情報記憶媒体用リーダライタに同一の管理情報が設定されてしまう不都合を確実に回避することができるようになる。
【００１７】
また、請求項２の発明によれば、上記発明に加えて制御部が、記録媒体に動作状態に関する情報を記録するようにしたので、管理情報を設定するための記録媒体に動作状態に関する情報も記録して収集し、管理に利用することが可能となる。
【００１８】
この場合、請求項３の発明の如く制御部が、接続部に記録媒体が接続されていない場合に使用不可とすることを有効とするか、無効とするかを選択可能とすれば、例えば上記発明の如く記録媒体に記録された動作状態に関する情報を収集するために接続部から記録媒体を取り外す際に無効とすることで、支障無く動作を維持することが可能となる。
【００１９】
そして、請求項４の発明の如く制御部が、接続部に記録媒体が接続されていない場合に使用不可とすることが無効とされている場合、一定期間経過後、記録媒体を接続部に接続することを促す所定の警告を出力するようにすれば、情報収集後に記録媒体を接続部に接続することを失念する不都合を未然に回避することが可能となる。
【００２０】
また、請求項５の発明によれば、上記各発明に加えて制御部を、記録媒体を用いて管理情報を設定するか、情報記憶媒体を用いて管理情報を設定するか、所定のマニュアル操作で管理情報を設定するか、を選択可能としたので、記録媒体で管理情報を設定するか、従来の方法で設定するかを選択可能となり、利便性が向上する。
【００２１】
また、請求項６の発明によれば、上記各発明に加えて制御部が、接続部に接続された所定の記録媒体に、管理情報を書き込む機能を有しているので、既に別の方法で設定されている管理情報を、記録媒体に書き込み、この書き込まれた記録媒体を用いて請求項１の制御を実現することも可能となる。
【図面の簡単な説明】
【００２２】
【図１】本発明の一実施形態の情報記憶媒体用リーダライタの機能ブロック図である。
【図２】図１の情報記憶媒体用リーダライタの本体の斜視図である。
【図３】図１の情報記憶媒体用リーダライタのパネル部の斜視図である。
【図４】図１の管理番号（管理情報）が記録されたＵＳＢメモリの正面図である。
【図５】管理番号が記録されていないＵＳＢメモリの正面図である。
【図６】設置時処理操作を説明するフローチャートである。
【図７】保守モード操作を説明するフローチャートである。
【図８】起動時設定モード切換操作を説明するフローチャートである。
【発明を実施するための形態】
【００２３】
以下、本発明の実施の形態について、図面に基づき詳細に説明する。実施例の情報記憶媒体用リーダライタ１００（以下、リーダライタ１００と称する。）は、上位装置としての自動販売機１に設けられ、所定の情報が記憶された情報記憶媒体としてのＩＣチップ２０を検出すると、ＩＣチップ２０に記憶された情報の読み書きを行う装置である。
【００２４】
また、リーダライタ１００は、運用動作時に、電子マネーサービスで用いられる電子マネーの残高が記憶された非接触ＩＣカードを検出すると、該非接触ＩＣカードと通信を行って電子マネー残高の読み書きを行うことにより電子マネーの決済処理を行うように構成されている。尚、電子マネーの決済処理の内容については、周知の処理内容と同様であるため詳細な説明を省略する。
【００２５】
自動販売機１（上位装置）は周知の構成を有したものである。ここで、上記決済処理を行うために、当該リーダライタ１００を識別するための管理情報として、管理番号１Ａが、後述する管理サーバ３００との間で紐付けされている。この管理番号１Ａはリーダライタ１００に設定されるものであるが、その設定方法については後に詳述する如く本実施例では、記録媒体としてのＵＳＢメモリ３０を用いる場合と、読取装置１０を用いる場合と、キー入力（マニュアル操作）で行う場合とを選択できるように構成されている。
【００２６】
そのうち、読取装置１０を用いる場合には、ＱＲコード（登録商標）等の二次元コードが使用される。この二次元コードは自動販売機１の外扉の前面に付されている場合とリーダライタ１００の設置時にオペレータが持参する場合等がある。
【００２７】
図１に例示している読取装置１０は、ＩＣチップ２０を搭載した周知の携帯電話であり、上述した二次元コードを読取可能なカメラ等からなる読取部１１と、制御部１２とから構成されている。また、制御部１２には前記ＩＣチップ２０が接続されており、制御部１２は、ＩＣチップ２０内の情報の読み書きが可能とされている。尚、実施例では、携帯電話を読取装置１０として用いているが、周知のバーコードリーダを読取装置１０として用いることも可能である。
【００２８】
読取装置１０の制御部１２は、読取装置１０全体を制御するものであり、ＣＰＵ及びＲＡＭ、ＲＯＭ等のメモリを備えている。また、制御部１２は当該リーダライタ１００を識別するための二次元コードが読取部１１によって読取られると、この二次元コードから管理番号１Ａ（管理情報）を抽出し、管理番号１ＡをＩＣチップ２０に記憶する。
【００２９】
ＩＣチップ２０は周知の構成を有し、ＩＣチップ２０内の回路を制御するＩＣチップ制御部（図示省略）と、各種情報を記憶するＩＣチップ記憶部（図示省略）とが設けられている。ＩＣチップ制御部は、所定の情報記憶用のコマンドを読取装置１０の制御部１２から受信すると、このコマンドに含まれる情報をＩＣチップ記憶部に記憶する。また、ＩＣチップ２０には、リーダライタ１００との間で非接触で信号を送受信するためのコイル状のアンテナ（図示省略）が接続されているものとする。
【００３０】
一方、リーダライタ１００は、本体１００Ａとパネル部１００Ｂとから成る。このうち本体１００Ａは自動販売機１の外扉の後面（内面）等に設けられ、パネル部１００Ｂは外扉の前面に取り付けられる。このパネル部１００Ｂには、図１に示すようにＲＦ回路１２０と、アンテナ１３０と、入力部１２１と、表示部１２２が設けられている。
【００３１】
ＲＦ回路部１２０は、ＩＣチップ２０との非接触通信をアンテナ１３０を介して行うためのものであって、周知のＡＤ／ＤＡ変換器及び整流回路等から構成されている。表示部１２２は例えば液晶ディスプレイ等から構成されている。入力部１２１は図３に示すように左右のボタン等から成り、表示部１２２に表示された情報やキーの選択と決定を行えるように構成されている。
【００３２】
本体１００Ａには、コネクタ１１０と、記憶部１４０と、通信装置１５０と、締めボタン１５２と、接続部としてのＵＳＢポート１５１と、制御部１６０が設けられており、この制御部１６０に上記各機器が接続されている。ＵＳＢポート１５１はこの種リーダライタ１００に通常設けられているものである。また、本体１００Ａには、自動販売機１がコネクタ１１０を介して接続されている。更に、本体１００Ａは、管理サーバ３００と通信装置１５０及びネットワーク２００を介して接続されている。
【００３３】
コネクタ１１０は、日本自動販売機工業会（ＪＶＭＡ）インタフェース仕様に準拠したものであり、制御部１６０と自動販売機１とを接続するためのインタフェース部として用いられる。記憶部１４０は不揮発性メモリ（ＢＵＭ）等の書き換え可能な記憶素子であり、制御部１６０の制御に基づき各種情報を記憶する。締めボタン１５２は仮締め作業時に操作されるもので、図２に示すように本体１００Ａの表面に設けられている。また、ＵＳＢポート１５１は本体１００Ａの下面に配置されている。
【００３４】
通信装置１５０は、ネットワーク２００に接続するためのモデム等の通信機器であり、ネットワーク２００を介して管理サーバ３００との間で通信を行うように構成されている。尚、実施例ではネットワーク２００として公衆回線網を用いており、これに対応してモデムを通信装置１５０として用いている。また、本実施形態では、通信装置１５０がリーダライタ１００に内蔵されているが、これに限られることではなく、リーダライタ１００とは別に設けることも可能である。
【００３５】
制御部１６０は、リーダライタ１００全体を制御するためのものであり、ＣＰＵ及びＲＡＭ、ＲＯＭ等のメモリを備えている。また、制御部１６０には、読取制御部１６１及び通信制御部１６２が設けられており、読取制御部１６１及び通信制御部１６２は、メモリに格納されたデータ及びプログラムに基づいて上記の各機器を制御するように構成されている。メモリの書き換え不可の領域には、複数のＩＣチップ用コマンド等が格納されているが、これに限定されず、これらのコマンド等を記憶部１４０に記憶しておき、制御部１６０が必要に応じて記憶部１４０から各コマンドを読み込むようにしてもよい。
【００３６】
管理サーバ３００は、リーダライタ１００を管理するためのサーバであり、各種情報を記憶するサーバ記憶部３１０と、ネットワーク２００接続用の通信装置３２０と、管理サーバ３００の全体を制御するためのサーバ制御部３３０とから構成されている。
【００３７】
サーバ記憶部３１０はＥＥＰＲＯＭ等の書き換え可能な記憶素子であり、設定情報３１０Ａが記憶されている。設定情報３１０Ａは、前述した管理番号１Ａと予め対応付けられた状態で記憶されており、リーダライタ１００の設置場所を緯度及び経度で表す設置場所情報や、接続先の上位装置（本実施形態では自動販売機１）を表す接続先情報、電子マネーサービスＡ用のアプリケーションプログラム、電子マネーサービスＢ用のアプリケーションプログラム等から構成されている。
【００３８】
通信装置３２０は、リーダライタ１００の通信装置１５０と同様に、ネットワーク２００に接続するための通信機器であり、ネットワーク２００を介してリーダライタ１００との間で通信を行うように構成されている。
【００３９】
サーバ制御部３３０は、ＣＰＵ及びＲＡＭ、ＲＯＭ等のメモリを備え、リーダライタ１００からネットワーク２００及び通信装置３２０を介して管理番号１Ａを受信すると、この管理番号１Ａに対応する設定情報３１０Ａをサーバ記憶部３１０から抽出し、この設定情報３１０Ａをリーダライタ１００に送信するものである。
【００４０】
このリーダライタ１００の制御部１６０は、上記管理番号１Ａを用いて管理サーバ３００との間で電子マネーの決済処理を行う。尚、これら決済処理手順や、読取装置１０のＩＣチップ２０を用いた管理番号１Ａの設定動作、即ち、読取制御部１６１がパネル部１００Ｂのアンテナ１３０及びＲＦ回路部１２０を介してＩＣチップ２０から受信した管理番号１Ａを記憶部１４０に記憶し、設定する動作については従来と同様であるので説明を省略する。
【００４１】
次に、記録媒体としてのＵＳＢメモリ３０を使用する場合を含む、本発明での管理番号１Ａの設定操作について説明する。図４は当該リーダライタ１００を識別するための管理番号１Ａ（図４では例えばＡＭＡ１２３  １２３４５６７８９１２３と例示）が管理番号ファイルとして予め記録されている。また、このＵＳＢメモリ３０には制御部１６０に設定用のＵＳＢと判断させるためのファイルであるＵＳＢ判定ファイルと、ファームが記録されている。
【００４２】
（１）設置時処理操作
次に、図６を参照しながらリーダライタ１００を自動販売機１に設置するときの設置時処理操作で、管理番号１Ａを設定する処理操作を説明する。図６のステップＳ１において、入力部１２１を用いてパネル部１００Ｂの表示部１２２に表示された設置時処理が選択されると、制御部１６０は、ステップＳ２、ステップＳ５、ステップＳ８の入力方法選択画面を表示部１２２に表示する。ステップＳ２は携帯電話（前述した読取装置１０）による入力方法、ステップＳ５は入力部１２１を用いたキー入力（マニュアル操作）による入力方法、ステップＳ８はＵＳＢメモリ３０を用いた入力方法を表示部１２２に表示し、入力部１２１の操作により表示がこれらのステップが循環式に切り替えられる。
【００４３】
この入力方法選択画面で、ステップＳ２の携帯電話を選択すると、ステップＳ３に進み、制御部１６０は表示部１２２に「携帯電話をかざしてください」と表示し、ステップＳ４で管理番号の設定モードを携帯／手入力設定モードとする。そして、携帯電話（読取装置１０）がアンテナ１３０にかざされると、ＩＣチップ２０から管理番号１Ａを受信し、ステップＳ１１で表示部１２２に受信した管理番号１Ａを表示する（確認画面）。次に、ステップＳ１２で管理番号の設定モードが確定し、そのまま管理サーバ３００と初回通信を行う。尚、受信した管理番号１Ａは記憶部１４０に記憶され、当該リーダライタ１００を識別する管理番号として設定される。
【００４４】
一方、ステップＳ５のキー入力を選択すると、ステップＳ６に進み、制御部１６０は表示部１２２にキー入力画面を表示し、ステップＳ７で管理番号の設定モードを携帯／手入力設定モードとする。そして、入力部１２１により管理番号１Ａがマニュアル操作により入力されると、ステップＳ１１で表示部１２２に入力された管理番号１Ａを表示する（確認画面）。次に、同様にステップＳ１２で管理番号の設定モードが確定し、そのまま管理サーバ３００と初回通信を行う。この場合も入力された管理番号１Ａは、同様に記憶部１４０に記憶される。
【００４５】
他方、ステップＳ８のＵＳＢを選択すると、ステップＳ９に進み、制御部１６０は表示部１２２に「ＵＳＢを挿入してください」と表示し、ステップＳ１０で管理番号の設定モードをＵＳＢ設定モードとする。そして、ＵＳＢポート１５１に管理番号１Ａが記録されたＵＳＢメモリ３０が接続（挿入）されると、ＵＳＢメモリ３０から管理番号１Ａを読み込み、ステップＳ１１で表示部１２２に読み込んだ管理番号１Ａを表示する（確認画面）。次に、同様にステップＳ１２で管理番号の設定モードが確定し、そのまま管理サーバ３００と初回通信を行う。この場合も入力された管理番号１Ａは、同様に記憶部１４０に記憶される。
【００４６】
尚、ステップＳ１２において制御部１６０は管理番号の設定モードを確定するとき、ＵＳＢ設定管理ファイルを生成するが、この場合、ステップＳ４又はステップＳ７で管理番号の設定モードを携帯／手入力設定モードとしたときは、ＵＳＢ設定管理ファイル中の設定モードステータスを「２」とする。尚、管理番号の設定モードが不定な状態データは設定モードステータスは「０」とされる。
【００４７】
一方、ステップＳ１０で管理番号の設定モードをＵＳＢ設定モードとしたときは、制御部１６０はＵＳＢ設定管理ファイル中の設定モードステータスを「１」とする。そして、この設定モードステータスが「１」とされているときは、ＵＳＢポート１５１にＵＳＢメモリ３０が接続されていない場合、制御部１６０はリーダライタ１００を使用不可（決済の取り扱いを中止。起動禁止。）とする。これを管理番号ベリファイ機能と云う。また、表示部１２２には「取り扱いできません」の表示を行う。尚、ＵＳＢポート１５１にＵＳＢメモリ３０が接続されていない場合にリーダライタ１００を使用不可とすること（管理番号ベリファイ機能）を「有効」とするか、「無効」とするかは、後述する如く選択可能とされている。
【００４８】
（２）設置時の保守モード操作
次に、図７を参照しながらリーダライタ１００を自動販売機１に設置したときに、保守モードで管理番号１Ａを設定するときの処理操作を説明する。図７のステップＳ２１において、入力部１２１を用いてパネル部１００Ｂの表示部１２２に表示された保守モードでの管理番号設定が選択されると、制御部１６０はステップＳ２２に進み、表示部１２２に管理番号設定確認画面を表示し、更にステップＳ２３で管理番号設定登録画面を表示する。
【００４９】
ステップＳ２３で管理番号設定登録が選択されると、制御部１６０は、ステップＳ２４、ステップＳ２７、ステップＳ３０の入力方法選択画面を表示部１２２に表示する。ステップＳ２４は携帯電話（読取装置１０）による入力方法、ステップＳ２７は入力部１２１を用いたキー入力（マニュアル操作）による入力方法、ステップＳ３０はＵＳＢメモリ３０を用いた入力方法を表示部１２２に表示し、入力部１２１の操作により表示がこれらのステップが循環式に切り替えられる。
【００５０】
この入力方法選択画面で、ステップＳ２４の携帯電話を選択すると、ステップＳ２５に進み、制御部１６０は表示部１２２に「携帯電話をかざしてください」と表示し、ステップＳ２６で管理番号の設定モードを携帯／手入力設定モードとする。そして、携帯電話（読取装置１０）がアンテナ１３０にかざされると、ＩＣチップ２０から管理番号１Ａを受信し、ステップＳ３３で表示部１２２に受信した管理番号１Ａを表示する（確認画面）。次に、ステップＳ３４で管理番号の設定モードが確定し、ステップＳ３５で表示部１２２に「管理番号設定完了決定ボタンを押してください」と表示し、押されるとステップＳ２１に戻る。そして、受信した管理番号１Ａは記憶部１４０に記憶され、当該リーダライタ１００を識別する管理番号として設定される。
【００５１】
一方、ステップＳ２７のキー入力を選択すると、ステップＳ２８に進み、制御部１６０は表示部１２２にキー入力画面を表示し、ステップＳ２９で管理番号の設定モードを携帯／手入力設定モードとする。そして、入力部１２１により管理番号１Ａがマニュアル操作により入力されると、ステップＳ３３で表示部１２２に入力された管理番号１Ａを表示する（確認画面）。次に、同様にステップＳ３４で管理番号の設定モードが確定し、ステップＳ３５からステップＳ２１に戻る。この場合も入力された管理番号１Ａは、同様に記憶部１４０に記憶される。
【００５２】
他方、ステップＳ３０のＵＳＢを選択すると、ステップＳ３１に進み、制御部１６０は表示部１２２に「ＵＳＢを挿入してください」と表示し、ステップＳ３２で管理番号の設定モードをＵＳＢ設定モードとする。そして、ＵＳＢポート１５１に管理番号１Ａが記録されたＵＳＢメモリ３０が接続（挿入）されると、ＵＳＢメモリ３０から管理番号１Ａを読み込み、ステップＳ３３で表示部１２２に読み込んだ管理番号１Ａを表示する（確認画面）。次に、同様にステップＳ３４で管理番号の設定モードが確定し、ステップＳ３５からステップＳ２１に戻る。この場合も入力された管理番号１Ａは、同様に記憶部１４０に記憶される。
【００５３】
尚、このステップＳ３４においても制御部１６０は図６のステップＳ１２と同様に管理番号の設定モードに応じてＵＳＢ設定管理ファイルの設定モードステータスを切り換える（携帯／手入力設定モードは「２」、設定モードが不定は「０」、ＵＳＢ設定モードは「１」）。そして、設定モードステータスが未設定とされているときは、同様にＵＳＢポート１５１にＵＳＢメモリ３０が接続されていない場合、制御部１６０はリーダライタ１００を使用不可とするものとする。
【００５４】
（３）起動時設定モード切換操作
次に、図８を参照しながら既に自動販売機１に設置されているリーダライタ１（端末）に、例えばＵＳＢメモリ３０を用いた管理番号の設定機能を追加したプログラムを管理サーバ３００からダウンロードした後（それ以外の場合も含む）、リーダライタ１を再起動したときに管理番号の設定モードを切り換える操作について説明する。リーダライタ１に電源が投入され、再起動されたとき、制御部１６０はステップＳ４１で記憶部１４０に既に他の方法（ＵＳＢ以外）で管理番号が設定されているか否か判断し、設定されていない場合はステップＳ４２に進んで管理番号の設定モードを不定とし、設定モードステータスを「０」とする。
【００５５】
ステップＳ４１で管理番号が設定されている場合、ステップＳ４３に進んで設定モードが不定か否か判断し、既に設定モードが設定されている場合、ステップＳ４４に進んで管理番号の設定モードを既に設定されている設定モードとする。尚、設定モードステータスが「１」でＵＳＢがありの場合は前述した管理番号ベリファイ機能を「有効」とする。
【００５６】
ステップＳ４３で設定モードが不定の場合、ステップＳ４５に進んでＵＳＢメモリ３０がＵＳＢポート１５１に接続されているか否か（有無）を判断し、ＵＳＢメモリ３０が無い場合にはステップＳ４６に進んで設定モードを携帯／手入力設定モードに確定し、設定モードステータスを「２」にする。ステップＳ４５でＵＳＢメモリ３０が有る場合は、ステップＳ４７に進んで設定モードをＵＳＢ設定モードに確定し、設定モードステータスを「１」にし、管理番号ベリファイ機能を「有効」とする。
【００５７】
尚、図８中のステップＳ４８は自動販売機１からリーダライタ１００を撤去する処理を示し、この撤去処理が行われた場合、制御部１６０はステップＳ４０で設定モードを「０」とする。
【００５８】
（４）保守モードでの設定モード切換操作
次に、運用中に保守モードで管理番号の設定モードを切り換える操作を説明する。尚、記憶部１４０には既に管理番号１Ａが設定されているものとする。この状態で、設定モードを携帯／手入力設定モードからＵＳＢ設定モードに切り換えるときは、ＵＳＢポート１５１に所定のＵＳＢを接続する（挿入）。次に、入力部１２１を操作して表示部１２２を用い、保守モードの「工場出荷設定」を選択する。次に、入力部１２１で専用の暗証番号を入力して設定モードを切り換える。
【００５９】
ここで、接続されたＵＳＢが既に異なる管理番号が記録されたＵＳＢメモリ３０であった場合、表示部１２２にエラーメッセージを表示する。一方、接続されたＵＳＢが図５に示す管理番号１Ａが記録されていないＵＳＢメモリ３１（白ＵＳＢと称す）であった場合、当該ＵＳＢメモリ３１に記憶部１４０に既に設定されている管理番号１Ａのファイルを生成して書き込み、ＵＳＢ設定管理ファイルも生成する。これにより、以後はこのＵＳＢメモリ３１が接続された状態で動作するＵＳＢ設定モードに切り換わる（設定モードステータス「２」から「１」）。
【００６０】
尚、設定モードをＵＳＢ設定モードから携帯／手入力設定モードに切り換える場合は、上述の暗証番号を入力して設定モードを切り換える（設定モードステータス「１」から「２」）。尚、以上の説明における設定モードの切換時、ＵＳＢ設定管理ファイルにはその全てがログとして記録される。
【００６１】
（５）自動ログ収集機能
次に、制御部１６０は締めボタン１５２が操作された仮締め作業時や電源投入時のタイミングで、当該リーダライタ１００の動作状態に関する情報（イベントログや設定データ）をＵＳＢメモリ３０に自動的に記録する。記録されるデータ数は決められており、随時古いものから削除されて新しいものが追加され、更新される。
【００６２】
（６）管理番号ベリファイ機能
また、前述した如く制御部１６０は、管理番号の設定モードがＵＳＢ設定モードで、設定モードステータスが「１」となっているとき、ＵＳＢポート１５１にＵＳＢメモリ３０が接続されていない場合は、リーダライタ１００を使用不可とする管理番号ベリファイ機能を有するが、ＵＳＢメモリ３０内に記録されている管理番号と記憶部１４０に設定されている管理番号とが相違する場合もリーダライタ１００を使用不可とする（これも管理番号ベリファイ機能）。
【００６３】
この管理番号ベリファイ機能は、締めボタン１５２が操作された仮締め作業時や電源投入時のタイミングで実施され、ＵＳＢメモリ３０が接続されていない場合、又は、ＵＳＢメモリ３０内の管理番号が相違する場合にリーダライタ１００が使用不可とされる。これにより、途中で異なった管理番号のＵＳＢメモリ３０が誤って接続されたときなどの不都合を解消する。
【００６４】
（７）管理番号ベリファイ機能の有効／無効
また、制御部１６０は、この管理番号ベリファイ機能を「有効」とするか、「無効」とするかを選択可能とされている。この選択は保守モードの「メニュー」で選択する。管理番号ベリファイ機能が「有効」な場合、ＵＳＢメモリ３０がＵＳＢポート１５１に接続されていない限り、リーダライタ１００は使用不可となる。一方、「無効」とされた場合はＵＳＢメモリ３０が接続されていなくてもリーダライタ１００は使用可能となる。
【００６５】
そして、例えば故障原因などを検証するために、前述した如くＵＳＢメモリ３０に自動収集した動作状態に関する情報を当該ＵＳＢメモリ３０から取り出す場合には、管理番号ベリファイ機能を「無効」に切り換え、ＵＳＢポート１５１からＵＳＢメモリ３０を取り外せばよい。取り外した後も、リーダライタ１００は支障無く使用可能となる。
【００６６】
但し、制御部１６０は管理番号ベリファイ機能が「無効」とされてから一定期間が経過した場合、例えば表示部１２２にＵＳＢメモリ３０を接続する旨の所定の警告を表示（出力）する（警報などでもよい）。これにより、ＵＳＢメモリ３０の差し忘れを防止する。尚、この警告を表示した後も、制御部１６０はリーダライタ１００の使用を可能とするものとする。
【００６７】
以上のように、自動販売機１に設けられ、所定の情報が記憶されたＩＣチップ２０を検出すると、当該ＩＣチップ２０に記憶された情報の読み書きを行い、当該リーダライタ１００を識別するための管理番号１Ａを用いて管理サーバ３００と通信を行うリーダライタ１００において、管理番号１Ａが記録されたＵＳＢメモリ３０を接続するためのＵＳＢポート１５１と、このＵＳＢポート１５１に接続されたＵＳＢメモリ３０から管理番号１Ａを読み込み、当該リーダライタ１００を識別するための管理番号として設定すると共に、管理サーバ３００との通信を制御する制御部１６０を備えているので、ＵＳＢメモリ３０を用いてリーダライタ１００を識別するための管理番号１Ａを設定することが可能となる。
【００６８】
特に、制御部１６０は、ＵＳＢポート１５１にＵＳＢメモリ３０が接続されていない場合は、当該リーダライタ１００を使用不可とするようにしたので、当該リーダライタ１００を識別するための管理番号１Ａが記録されたＵＳＢメモリ３０がＵＳＢポート１５１に接続されていない限り、リーダライタ１００は取り扱いできなくなる。即ち、一つのＵＳＢメモリ３０が使い回しされることが無くなるので、従来の如く誤って複数のリーダライタ１００に同一の管理番号が設定されてしまう不都合を確実に回避することができるようになる。
【００６９】
また、制御部１６０はＵＳＢメモリ３０に動作状態に関する情報を記録するようにしたので、管理番号１Ａを設定するためのＵＳＢメモリ３０に動作状態に関する情報も記録して収集し、管理に利用することが可能となる。
【００７０】
この場合、制御部１６０はＵＳＢポート１５１にＵＳＢメモリ３０が接続されていない場合に使用不可とすることを「有効」とするか、「無効」とするかを選択可能とされているので、例えばＵＳＢメモリ３０に記録された動作状態に関する情報を収集するためにＵＳＢポート１５１からＵＳＢメモリ３０を取り外す際に「無効」とすることで、支障無く動作を維持することが可能となる。
【００７１】
そして、制御部１６０はＵＳＢポート１５１にＵＳＢメモリ３０が接続されていない場合に使用不可とすることが「無効」とされている場合、一定期間経過後、ＵＳＢメモリ３０をＵＳＢポート１５１に接続することを促す所定の警告を出力するので、情報収集後にＵＳＢメモリ３０をＵＳＢポート１５１に接続することを失念する不都合を未然に回避することが可能となる。
【００７２】
また、制御部１６０はＵＳＢメモリ３０を用いて管理番号１Ａを設定するか、ＩＣチップ２０を用いて管理番号１Ａを設定するか、所定のマニュアル操作で管理番号１Ａを設定するかを選択可能とされているので、ＵＳＢメモリ３０で管理番号１Ａを設定するか、従来の方法で設定するかを選択可能となり、利便性が向上する。
【００７３】
また、制御部１６０はＵＳＢポート１５１に接続された所定のＵＳＢメモリ３１に、管理番号１Ａを書き込む機能を有しているので、既に別の方法で設定されている管理番号１Ａを、ＵＳＢメモリ３１に書き込み、この書き込まれたＵＳＢメモリ３１を用いて管理番号ベリファイ機能を実現することが可能となる。
【００７４】
尚、上記実施例ではＵＳＢメモリを記録媒体として説明したが、磁気カードやＩＣカード等、情報を記録できる種々の記録媒体を利用可能である。また、実施例では上位装置として自動販売機１を用いたものを示したが、ＰＯＳ端末等の決済端末を上位装置としても適用可能であることは言うまでもない。
【符号の説明】
【００７５】
１  自動販売機（上位装置）
１Ａ  管理番号（管理情報）
２０  ＩＣチップ（情報記憶媒体）
３０、３１  ＵＳＢメモリ（記録媒体）
１００  リーダライタ（情報記憶媒体用リーダライタ）
１５１  ＵＳＢポート（接続部）
１６０  制御部
３００  管理サーバ
【図１】
2015153164.tif 000003
【図２】
2015153164.tif 000004
【図３】
2015153164.tif 000005
【図４】
2015153164.tif 000006
【図５】
2015153164.tif 000007
【図６】
2015153164.tif 000008
【図７】
2015153164.tif 000009
【図８】
2015153164.tif 000010